(57)【特許請求の範囲】
【請求項１】
ボール（４）を受け入れる複数のポケット（３）を備える少なくとも１つの機械式ルーレットホイール（２）と、
ルーレットホイール（２）を取り囲む少なくとも１つのグラフィック電子ディスプレイ（１１）を有する電子式ルーレットディスプレイシステム（１０）を含み、
電子ディスプレイ（１１）は、賭け番号（Ｎ）を表示する複数のディスプレイフィールド（１２）を含み、ディスプレイフィールド（１２）の数は、ポケット（３）の数よりも少なく、
センサーユニット（２０）、ドライブユニット（３０）、コントロールシステム（４０）が備えられ、
コントロールシステム（４０）は、ルーレットホイール（２）および／またはポケット（３）の１つに静止したボール（４）についてセンサーユニット（２０）からの状況情報を受け取るように構成され、
コントロールシステム（４０）は、受け取った状況情報に基づいてルーレットホイール（２）をディスプレイ（１１）に関して明確な最終位置に調整するようにドライブユニット（３０）を介して起動し、
ボール（４）を有するポケット（３）は、電子ディスプレイ（１１）上でポケット（３）のサイドの境界（３ａ、３ｂ）がディスプレイフィールド（１２）の一つを確定するサイドの境界（１２ａ、１２ｂ）の間に入るように、直接に隣接する個々のディスプレイフィールド（１２）と完全に一致して配置されるルーレット装置（１）。
【請求項２】
ルーレットホイール（２）の物理的特徴および／または状況および／または位置若しくは他の測定可能な特性を検知するためのセンサーユニット（２０）が備えられている請求項１に記載のルーレット装置（１）。
【請求項３】
ボールが静止しているルーレットホイール（２）のポケットを検出するためのセンサーユニット（２０）が備えられている請求項１または２に記載ルーレット装置（１）。
【請求項４】
前記センサーユニット（２０）は、複数のセンサー（２１）および／またはセンサーアレイ（２２）を含む請求項１〜３のいずれかに記載のルーレット装置（１）。
【請求項５】
前記センサーユニット（２０）は、センサーユニットからのセンサーデータを受け取るためのコントロールシステム（４０）にセンサーインターフェイス（２３）を経由して接続されている請求項１〜４のいずれかに記載のルーレット装置（１）。
【請求項６】
前記ドライブユニット（１）は、ドライブユニットインターフェイス（３１）を経由してコントロールシステム（４０）に接続されている請求項１〜５のいずれかに記載のルーレット装置（１）。
【請求項７】
前記ドライブユニット（３０）には、ルーレットホイールを修正された位置に停止させる調整ユニットが備えられている請求項１〜６のいずれかに記載のルーレット装置（１）。
【請求項８】
前記ルーレット装置（１）は、当該ルーレット装置（１）に関して、ディスプレイ（１１）のディスプレイフィールド（２）上の数字が固定されているか、または、ルーレットホイール（２）とともに回転方向と同方向に若しくは回転方向と反対方向に回転している請求項１〜７のいずれかに記載のルーレット装置（１）。
【請求項９】
請求項１〜８のいずれかに記載のルーレット装置（１）のホイール（２）を調節する方法であって、
ａ．前記センサーユニット（２０）の１または複数のセンサーが、ルーレットホイール（２０）の１若しくは複数の物理的特性および／または状況パラメータおよび／または位置の関連パラメータを検出するステップ、
ｂ．センサーユニット（２０）のセンサーが、ルーレットホイール（２０）のポケット（３）の一つに静止しているボール（４）の位置を検出するステップ、
ｃ．前記コントロールシステム（４０）が、ステップａ）およびｂ）で検出されたセンサーユニット（２０）からの情報を受け取るステップ、
ｄ．前記コントロールシステム（４０）は、受け取った情報に基づいて、ルーレットの賭けの結果を示すディスプレイフィールド（１１）に関係する明確な計算された最終位置であって、ボール（４）を有するポケット（３）が個々のディスプレイフィールド（１１）と一致して直接隣接する位置に停止させるステップ
を有する調節方法。
【請求項１０】
前記コントロールシステムは、ステップｂ）の後に、ホイールの明確な停止可能な位置および／またはボール（４）が入ったポケット（３）の位置と対象のディスプレイフィールド（１２）の間の明確さの理由で停止してはならない位置を計算する請求項９に記載の調節方法。
【請求項１１】
前記コントロールシステム（４０）は、もし計算された停止位置が望ましい個々の明確な停止位置からずれていた場合に、ボール（４）が入ったポケット（３）を明瞭にディスプレイフィールド（１２）に一致するようにさせるための補正処置によって、ルーレットホイール（２）を計算された停止位置に調整するためにコントロールし、前記ディスプレイフィールド（１２）は、ボール（４）が入ったポケット（３）の最終位置に隣接するディスプレイフィールド（１２）の対象ディスプレイフィールド（１２）として計算されたものであり、前記補正処置は個々のディスプレイフィールド（１２）に関して前記対象ディスプレイフィールドからの計算された偏差よりも大きくないように最終停止位置を修正する請求項９または１０に記載の調節方法。
【請求項１２】
前記補正処置は調整ユニットによってなされ、特に個別計算された減速または加速の値をもつ減速または加速手段によってなされる請求項１１に記載の調節方法。
【請求項１３】
装置（１）は異なった選択可能なゲームモードを提供し、そして、ゲームコントローラーが備え付けられ、当該ゲームコントローラーはゲームモードを選択する手段と、グラフィックルーレットディスプレイシステム（１０）の少なくとも１つのディスプレイフィールド（１２）上に個々のゲーム情報を表示するための手段を含んでいる請求項９〜１２のいずれかに記載の調節方法。
【発明の詳細な説明】
【背景技術】
【０００１】
この発明は、ルーレットホイール位置を明確にする方法と、ルーレットディスプレイシステムを含むルーレットホイールを備えた装置に関する。したがって、この発明は、それに加えて、特にルーレットホイールを取り囲む電子ディスプレイシステムに関係する機械式ルーレットホイール、付随的な物理的修正および特定のコントロールシステムと方法に関する。
【０００２】
ルーレットとゲーム装置は技術的によく知られている。ルーレットゲーム装置は、長年、カジノや他のゲーム施設で娯楽や賭けを提供してきた。
【０００３】
一般的に、円形のルーレットホイールは、その中心軸の周りに時計回りか反時計回りに回転される。ホイールは、ボールを受け入れる複数の区画を含む。区画は、一般的に数字で番号が振りつけられている。プレーヤーが賭けた、この明細書ではポケットとも呼ばれる、望まれた区画の一つに最終的に静止する前に、ボールは、ランダムに曲がるようになっているホイールの表面に放出される。
【０００４】
プレーヤーが、ボールが入る一つの区画または区画のグループにトークンまたは「チップ」を賭け台の適切な位置に置くことによって賭けた後に、例えば、クルーピエがホイールを手動で操作することができる。
これらの伝統的なルーレットゲームシステムは、例えば、技術的見地や電子技術などの異なった見地で、修正されてきた。
【０００５】
現存するルーレット装置では、ホイールは、固定され（例えば、変えられない）取り付けられた数字と色（一般には赤と黒）およびホイールの回転後にゲームが停止した時にルーレットホイールの個別の区画の位置を示す変化しない印刷によって取り囲まれている。
【０００６】
しかしながら、このシステムでは、ゲームを変更することや、例えば、派生的ゲームのような、個々のゲームの変化に対する物理的変更をすることができない。したがって、ゲームを修正しコントロールする異なった可能性を有する多種多様な装置を提供することは望ましい。
【０００７】
EP 14166400 A1において、古典的なバージョンのルーレットが修正されたルーレット装置が提供されており、例えば、各スピン後数字を混乱させて賭けの配当を変更するゲーム、並びに数字の計算を変化させるディスプレイおよびホイールを取り囲む変化する数字（結果）でもってルーレットベースのゲームの発展を可能とするディスプレイシステムが記載されている。
【発明の概要】
【発明が解決しようとする課題】
【０００８】
しかしながら、上記のような装置では、賭けの結果が明確ではないという事実によって問題が起こる可能性がある。ボールポケットの数が機械回転式ルーレットホイールにまだ固定されているので、特に、ボールポケットの数がホイールを取り巻いている可能性がある結果の数と一致しないときに不確定なまたは明確な結果になる可能性がある。ポケットの数が周囲のディスプレイフィールドによって提示された可能な結果の数と異なっている前述の機械式ルーレットホイールでゲームをするとき、ボールを有するホイールは２つの可能な結果の間に置かれている１つの特定のポケットポジションで止まるかもしれず、そのような場合に結果は無効になる可能性がある。しかしながら、結果は明快で、明確でなければならない。そのためにそこにボールが静止しているポケットにおけるホイールのストップポジションは、対応するディスプレイフィールドの中で明確な位置ではなければならない。
【課題を解決する手段】
【０００９】
したがって、この発明の基本的なアイデアは（実際のルーレットゲームの結果に影響を与えるべきではない）ルーレットホイールに対するコントロールシステムと調整システムを提供することであり、明確な結果を達成するためのホイールの最終のストップポジションの特定の調節ができるように改造されたものである。
【００１０】
この発明の態様に従って、機械式ルーレットホイールとテーブルが、グラフィックディスプレイシステム、付随する物理的な改良と特定のコントロールと調整システムを含むように修正される。
【００１１】
発明の望ましい具体的態様において、ルーレットホイールの動きは、例えばモーター、特にサーボモーターあるいはステッピングモーターのようなドライブユニットによってコントロールされる。しかしながら、ホイールの回転を刺激して、そしてコントロールするために使われるドライブユニットのタイプは適切な適合であり得る。好ましくは、それに制限されることはないが、ホイールの回転を刺激するデバイスは、電気的、磁気的または誘導的駆動デバイスを用いることができる。
【００１２】
この発明の有利な実施例によると、ルーレットホイールをモニターし、その状態を検知するためにセンサーシステムが用いられる。好ましくは、さまざまな数のセンサーまたはセンサーアレイが（例えば、ホイールの相対的回転ポジションやルーレットボウル若しくはホイールポケット内のボールの位置および／またはホイールのスピードなどのような）ホイールの特有のパラメータを検知するために使われる。
【００１３】
そのゆえ、使われるセンサーのタイプは、例えば光学的、磁気的、誘導的あるいは重量センサーを含めて、ある程度の精度でホイールの関連するパラメータを測定することができなければならない。
【００１４】
あるポケットに静止しているボールの位置を検出しおよび／またはモニターするための選択の一つは、全プロセスに渡ってホイールの画像をとる画像処理監視装置を使用することである。これらのイメージを分析することは、例えば、光センサーの使用によって理解することができる。
【００１５】
本発明によるルーレットシステムの機械部分のひとつのさらなる特徴は、ドライブアクチュエーターの使用である。ドライブアクチュエーターの位置は、例えばトランスミッションギアまたは他のいかなる調整あるいは訂正方法（例えば、磁気的に、または機械的に）のような、調整システムによってホイールに接続したホイールのベースプレートの上または下にあるかもしれない。
【００１６】
その他のこの発明の特徴によると、ホイールのための電子コントロールシステムが用いられている。そのコントロールシステムは、ドライブユニットとセンサーシステムに接続されている。コントロールシステムは、好ましくはＩ／Ｏモジュールを経由して、１またはそれ以上のセンサー、例えばセンサーアレイから、ホイールの実際の状況についての情報とそれぞれのパラメータを取得する。
【００１７】
さらに、コントロールシステムは、ドライブユニットにそしてその結果ホイールにコマンドを伝達するために用いられる。好ましくは、接続されたコンピュータ（ＰＣ）ベースのゲームコントローラーがインタフェースを経由してホイールコントローラーに命令を送る。
【００１８】
この機器構成で、コントロールシステムは同じインタフェースを経由してコントローラーに状況情報を伝達する。しかしながら、コントロールシステム、ドライブユニットおよびセンサーユニットの間の情報伝達の代わりの機器構成が使われるかもしれない。
【００１９】
ホイールコントローラーは、可能性のある結果の数についての情報を受け取って、そして、ボールが最終静止場所に位置しているかもしれないすべての可能性のある位置を計算する。ボールポケットを持っているホイールが回転しているとき、コントローラーはボールの状況を知って、そしてホイールポケットの１つにボールがいつ最終静止するか検出する。
【００２０】
本発明のさらなるの有利な実施例では、ディスプレイシステムは少なくとも３つの異なった構成機器で構成される。ディスプレイシステムの構成によって、ディスプレイ上の数は、ホイールの回転方向と同方向にホイールと一緒に回転しているかまたはホイールと反対の方向に回転しているテーブルに関してテーブル上の調整であるかもしれない。ディスプレイのそれぞれのゲーム構成によって、ホイールコントローラーは停止可能な位置および／またはホイールが止まることができない位置を計算する。このホイールの状況情報に基づいて、コントロールシステムは、最終の（許可された）停止位置のポケットに入ったボールを伴うホイールになるようにドライブユニットにさせることができる。この最終の位置はディスプレイフィールドの中で明確な対応する位置でそこにボールが入ったポケットが停止する位置である。しかしながら、補正処置は、賭けの結果に影響せず、明確なホイールの位置とディスプレイフィールドに関しての個々のポケットを修正するのみである。
【発明の効果】
【００２１】
そこで、本発明の目的は、上述の欠点を克服し、結果が明確であるような修正可能で多種多様なルーレットシステムを提供することにある。
【図面の簡単な説明】
【００２２】
【図１】図１は、ボールが入ったポケット位置が結果番号のディスプレイフィールドと一致していないルーレットホイールの最終位置の概略平面図である。
【図２】図２は、ボールが入ったポケット位置が結果番号のディスプレイフィールドと一致しているルーレットホイールの最終位置の概略平面図である。
【図３】図３は、ホイールコントロールシステムに接続される機械式ルーレットホイールの説明の１実施例である。
【図４】図4は、機械式ホイールの最終位置を調整するためのコントロールシステムの１実施例の基本的構成を示す。
【発明を実施するための形態】
【００２３】
添付する図面に関連して考慮されるとき、いっそう完全な発明の理解とその付随している利点の多くの正しい評価が以下の詳細な記述に対する言及によって、同じことがもっと良く理解される。
【００２４】
発明がその趣旨および基本的特徴から離れることなしに他の特定の形態で具体化され得ることは、当業者によって正しく評価される。したがって、この開示された具体例は、全ての面で説明に役立つが、これらに制限されると考えてはならない。
【００２５】
図１は電子ディスプレイ１１によって囲まれたルーレットホイール２の説明部分の最終のポジションの概要平面図である。好ましくは、数および／または大きさおよび／またはディスプレイ１１のディスプレイフィールド１２の形状は、ゲームの進行または進行中のゲームの可能な変更に従って柔軟性があり、および／または可変性がある。
【００２６】
ルーレット装置１は少なくとも１つのディスプレイフィールド１２に関するゲーム情報に関連して番号または可変性の動的な内容を表示するグラフィックディスプレイ１１を伴っているグラフィックルーレットディスプレイシステム１０を含んでいる。ディスプレイ１１はディスプレイフィールド１２の番号Ｎで分かれており、そしてそれはルーレットホイール２のボール軌道の隣に備えられている。実施例においては、ホイール２を取り囲む３６０度のディスプレイの上に示されるディスプレイフィールドの大きさは、ゲームの可能な賭けの数に依存している。ルーレット装置のこの実施例によれば、それぞれの回転の後にある番号に停止したところでゲームがなされる。トータルの数が減らされたならば、残った数に合わせて大きさは調節されなければならない。しかしながら、本発明に従った補正処置が講じられない限り、ポケットは、二つの残った数の間に停止するかもしれない。
【００２７】
ルーレット装置１は、静止図形と似ず、内容がデジタルに変えられるグラフィックディスプレイ１１を含んでいる。ディスプレイ１１は、例えば、LCD、 LED、 OLED、映写、レーザーまたは他の動的にイメージを表示する方法などの適切な技術を用いて実行される。
【００２８】
図１に見られるように、ディスプレイフィールド１２の大きさは、ポケット３の大きさに比べて大きい。ディスプレイフィールドの残った数（本例では３０）によって、ゲームが実行されたのちに少ない数の残った数が残ることになるので、ディスプレイフィールド１２の大きさは大きくなされる。
【００２９】
しかしながら、図２によると、この発明に従って、ルーレットホイール２のポケット３が正確で明確であるという定義は、ボール４（ここでは透明で示されている）が入ったポケット３がディスプレイ１１に関係して、ポケット３の周方向における両サイドの境界３ａと３ｂ（径方向延長線で点線で示されている）がディスプレイフィールド１２を規定する両サイドの境界１２ａと１２ｂ間に位置しているというように、直接隣接するディスプレイフィールド１１と完全に一致していることである。ポケット３のサイドの境界３ａまたは３ｂの一つが対応するサイドの境界１２ａまたは１２ｂと一直線になっている限りは、位置は「明確である」と定義することができる（図２のポケット番号３および４を参照）。
【００３０】
図１における番号１および６のポケットは、ディスプレイフィールド番号１および５のディスプレイフィールド１２と直接に隣接し対応していることに対して、明確な位置であるといえる。しかし、番号２、３、４および５のポケットは、それぞれ隣接するディスプレイフィールド１２と正確には一致する位置にはない。少なくとも番号２、３、４および５のポケットの一つも、隣接するディスプレイフィールド１２と重なり（径方向の延長において）合っていない。ボールがこれらのポケット３の何れかで静止したならば、位置が明確でなくなりゲームは無効となるであろう。
【００３１】
上述の通り、本発明は、ボール４が静止したポケット３および補正処置がなければ発生する偏差に依存するホイールの最終位置を調整するためのドライブユニットとセンサーユニットに接続されたコントロールシステムを提供する。
【００３２】
それゆえ、ルーレット装置１のルーレットホイール２を調節する提供する方法は、内部に別名の下記のステップを有する。
ａ．センサーユニット２０のセンサーが、ルーレットホイール２の１若しくは複数の物理的特徴および／または状況パラメータおよび／または位置の関連パラメータを検出する。ｂ．センサーユニット２０のセンサーが、ルーレットホイール（２）のボール４（本例では番号３のポケットにある）を検出する。
ｃ．コントロールシステム４０が、ステップａ）とｂ）で検出されたセンサーユニット２０からの情報を受け取る。
ｄ．前記コントロールシステム４０は、受け取った情報に基づいて、ルーレットの賭け（ターゲットディスプレイフィールド）の結果を示すディスプレイフィールド１１に関係する明確な計算された最終位置（図２の位置を見よ）であって、番号３のポケットが番号２の個別のターゲットディスプレイフィールドと一致して直接隣接する位置に停止させる。
【００３３】
この状況は、番号４のポケットと番号３のディスプレイフィールドにおいても、このポケットにボールが静止しているとしたら有効である。
【００３４】
コントロールシステムは、ステップｂ）の後にホイールの明確な停止位置および／または、ボール４を有するポケット３と直接に隣接するディスプレイフィールドとの間の明確さの理由でホイールが停止してはならない位置を計算する。
【００３５】
コントロールシステム４０は、番号３のポケットに対する計算された停止位置は、望ましい個々の明確な停止位置から外れているので、図１に示される計算された停止位置を調整するためにホイール２を操作する。調整は、番号３のポケットをボールがポケットに静止する際にポケット３の最終位置に直接に隣接するディスプレイフィールドとして計算される番号２のディスプレイフィールド１２に明確に一致させる補正処置を通じてなされる。その補正処置は、個々のディスプレイフィールドに対して最終停止位置を修正するのであるが、大きくてもディスプレイフィールドから計算された偏差Ｄまでである。それゆえ、最大の修正は、最も近く隣接するディスプレイフィールドに対する偏差（個々のポケット３の径方向の境界３ｃに沿った左の境界３ａと右の境界３ｂの間の距離の半分が最大）である。しかしながら、別の配置では、コントロールシステムは、特定の偏差Ｄに従って補正処置を実施することができる。ディスプレイフィールドが正確な停止位置またはその代替として回転方向の偏差として、ポケットと隣接するディスプレイフィールドが最も重なった部分を決定することが可能となる。最後の選択は、補正処置を、常に次の隣接するディスプレイフィールドにホイールの修正の回転が一つのフィールド幅よりも大きくならないように導くことである。
【００３６】
補正処置は、好ましくは調整ユニットによって、特に、個々の計算された減速または加速の値でもって、個々の減速または加速の手段によってなされる。本実施例では、ホイールは確実にするために小さな修正の値で加速され、ホイール２は図１で示される位置で停止せず、図２で示される明確な位置を達成した時に停止する。
【００３７】
図３および図４では、ボール４を受け入れる複数のポケット３を有する機械式ルーレットホイール２およびルーレットホイール２を囲む少なくとも一つの電子ディスプレイ１１を有するグラフィックルーレットディスプレイシステム１０を含むルーレット装置１が示されており、ここで、電子ディスプレイ１１は、一つの賭け番号（Ｎ）を表示するための複数のディスプレイフィールド１２を含み、センサーユニット２０、ドライブユニット３０およびコントロールシステム４０が備えられている。また、ルーレットホイール２は、ボールトラック２ａ、タレット５、コーン６、ホイールスピンドル５ａ、変速機５ｂおよびベースプレート９も有している。
【００３８】
図４は、機械式ホイールの最終位置を調整するコントロールシステム４０の１実施例の配置を示している。コントロールシステム４０は、ルーレットホイール２および／またはポケット３の一つに静止したボール４についてのセンサーユニット２０からの状況情報を受け取ることに対応している。コントロールシステム４０は、インタフェースを通じて、ドライブユニット３０およびセンサーアレイ（センサーユニット）２０とつながっている。センサーユニット２０は、センサーユニット２０からのセンサーデータを受け取るコントロールシステム４０とセンサーインターフェイス２３を通じてつながっている。
【００３９】
コントロールシステム４０は、好ましくは、Ｉ／Ｏモジュール、ＲＡＭメモリー、プログラムメモリー、スタティックＲＡＭおよびプログラムユニットを含んでいる。さらに、ドライブユニットには、補正処置を生み出すための調整ユニットが設置されている。ＰＣをシステムにつなげるために、ＰＣインタフェース６０がさらに備えられ、コントロールシステムに接続されている。
【００４０】
センサーユニット２０は、複数のセンサーによって形成され、それはボールトラック２ａの隣に備えられるセンサーアレイ２２を規定する。ドライブユニット３０は、ドライブユニットインターフェース３１を経由してコントロールシステム４０と接続される調整ユニット３２を含んでいる。コントロールシステム４０は、（受け取り計算された値に基づいて）ドライバー２０を経由してルーレットホイール２に対して前述の補正処置を起動する。
【００４１】
上述の修正の延長によって、より多種多様の装置を実現するため、ルーレット装置の他の態様を修正することができる。一方、この発明を説明するために特別な実施態様が選択され、当業者であれば添付の請求の範囲にあるように発明の範囲から逸脱することなしに様々な変更や修正が可能であることが理解されるであろう。それゆえ、限定されない例は、ディスプレイ１１のディスプレイフィールド１２上の数字がルーレット装置１に対して固定されているとか、ルーレットホイール２と同方向若しくは反対方向に回転しているなどのルーレット装置が構成されていることである。個々の調整値はこれらの一つの形態の一つに適切に適用されるべきである。
【００４２】
符号の説明
１  ルーレット装置
２  ホイール
３  ポケット
４  ボール
９  ベースプレート
１０  ディスプレイシステム
１１  ディスプレイ
１２  ディスプレイフィールド
２０  センサーユニット
２２  センサーアレイ
２３  センサーインターフェイス
３０  ドライブユニット
３１  ドライブユニットインターフェイス
４０  コントロールシステム
６０  ＰＣインタフェース
２ａ  ボールトラック
３ａ、３ｂ、１２ａ、１２ｂ  境界
５ａ  ホイールスピンドル
５ｂ  変速機
【図１】
0006554486.tif 000002
【図２】
0006554486.tif 000003
【図３】
0006554486.tif 000004
【図４】
0006554486.tif 000005